(57)【要約】【課題】鉄工業作業等において使用する石筆ペンにおいて、一般的な滑石等ではマーキングできない場合のケガキ針を常備した石筆ペンを提供する。【解決手段】短冊状金属板の長さ方向に沿う両側端縁を折り曲げることにより両側に一定高さの案内溝が形成されてなるケース本体１と、ケース本体の案内溝内にて移動するように嵌入された摺動子４と、両案内溝内に挿入されかつ摺動子を前進移動させることによりケース本体の先端口より適宜押し出されるように構成された石筆６と、ケース本体の先端口近傍に取り付けられたケガキ針８と、ケース本体の後端口を塞ぐように取り付けられ摺動子の移動停止片となるキャップ体９とよりなる石筆ペン。【選択図】図１
0003135227.tif 000002
【実用新案登録請求の範囲】
【請求項１】
短冊状金属板の長さ方向に沿う両側端縁をＵ字状に内方に向けて折り曲げることにより両側に一定高さの案内溝が形成されてなるケース本体と、上記ケース本体の上記両案内溝内に前後方向に移動するように嵌入された摺動子と、上記摺動子の前方位置における上記両案内溝内に挿入されかつ上記摺動子を後側端より前進移動させることにより上記ケース本体の先端口より適宜押し出されるように構成された石筆と、上記ケース本体の先端口近傍に取り付けられたケガキ針と、上記ケース本体の後端口を塞ぐように取り付けられかつ上記摺動子の移動停止片となるキャップ体とよりなる石筆ペン。
【請求項２】
短冊状金属板の長さ方向に沿う両側端縁をＵ字状に内方に向けて折り曲げることにより両側に一定高さの案内溝が形成されてなるケース本体と、上記ケース本体の上記両案内溝内に前後方向に移動するように嵌入された摺動子と、上記摺動子の前方位置における上記両案内溝内に挿入されかつ上記摺動子を後側端より前進移動させることにより上記ケース本体の先端口より適宜押し出されるように構成された石筆と、上記ケース本体の先端口近傍に取り付けられたケガキ針と、上記ケース本体の後端口を塞ぐように取り付けられ上記摺動子の移動停止片となるキャップ体とよりなり、上記キャップ体の外端部に凹部を設け、上記凹部に上記石筆よりも肉厚で短小の石筆を嵌合させてなる石筆ペン。
【請求項３】
上記ケガキ針は超硬合金製であり、そのケース本体への取り付けは銀ロウ付けである請求項１又は２記載の石筆ペン。
【考案の詳細な説明】
【技術分野】
【０００１】
本考案は、主として鉄工業作業において、各種材料上に寸法を記入したり、線引きのマーク、切断表示など各種線図、記号を記入する石筆ペンに関する。
【背景技術】
【０００２】
石筆ペンとしては、色々なものが存在するが、本考案は、特開昭５７−１８５２００号公報（特許文献１）に開示の石筆ペンの改良に関する。
【０００３】
特許文献１に開示の石筆ペンは、石筆全体をケースに収め、石筆使用時には、その先端をケース外に露出させて線図、記号等の記入を行うように構成されている。
【０００４】
この構成により、従前よりも厚みの小なる石筆を折るようなことなく使用でき、もって一定の細かさで線引き等ができるなどの効用を奏する。
【特許文献１】特開昭５７−１８５２００号公報
【考案の開示】
【考案が解決しようとする課題】
【０００５】
しかしながら、特許文献１に開示の石筆ペンでは、石筆として一般的な滑石等を使用するので、カラーコーティングされた物とかステンレスのように滑る部材には十分に用を果さないことがある。又、滑石でマーキングするよりも更に極細のマーキングが必要とされる場合がある。
【０００６】
この場合、例えば超硬合金製のケガキ針を別途持参して、必要な都度そのケガキ針を直接手で持ち作業を行っていた。
【０００７】
更に又、ケース内に収められた石筆ではそのマーキング幅に自ずと限界があり、更に太いマーキングを必要とする場合もあり、その場合も別途用意された肉厚の滑石を用いて作業を行っていた。
【０００８】
以上のように、ケガキ針又は肉厚の滑石を別途用意しなければならないという難点があり、これらの用意が失念されることも多く不都合をきたしていた。本考案はこの不都合を解決するものである。
【課題を解決するための手段】
【０００９】
本考案請求項１の考案は、短冊状金属板の長さ方向に沿う両側端縁をＵ字状に内方に向けて折り曲げることにより両側に一定高さの案内溝が形成されてなるケース本体と、上記ケース本体の上記両案内溝内に前後方向に移動するように嵌入された摺動子と、上記摺動子の前方位置における上記両案内溝内に挿入されかつ上記摺動子を後側端より前進移動させることにより上記ケース本体の先端口より適宜押し出されるように構成された石筆と、上記ケース本体の先端口近傍に取り付けられたケガキ針と、上記ケース本体の後端口を塞ぐように取り付けられかつ上記摺動子の移動停止片となるキャップ体とよりなる石筆ペンを提供する。
【００１０】
ここで、ケガキ針をケース本体の先端口近傍に取り付けておくことにより、別途ケガキ針を用意することなく、必要なときに即座にケガキ針を使用することができる。
【００１１】
更に、請求項２の考案は、請求項１の考案の構成に加え、ケース本体の後端口を塞ぐよ
うに取り付けられ摺動子の移動停止片となるキャップ体の外端部に凹部を設け、上記凹部に石筆よりも肉厚で短小の石筆を嵌合させた石筆ペンを提供する。
【００１２】
これにより、通常使用する線幅よりも太い線幅のマーキングを適宜施すことができる。
【考案の効果】
【００１３】
以上のように、本考案は、別途ケガキ針を用意することなく、ケガキ針を必要とする作業の際には即座にケガキ針を使用することができる。
【考案を実施するための最良の形態】
【００１４】
本考案の一実施例につき、図面を参照しながら説明する。
【００１５】
図１は、本考案の一実施例における石筆ペンの斜視図である。図１において、１はケース本体で短冊状金属板（一例としてステンレス板）の長さ方向に沿う両側端縁をＵ字状に内方に向けて折り曲げることにより両側に一定高さの案内溝２、３が形成されている。４は摺動子で上記ケース本体１の上記両案内溝２、３内に前後方向５に移動するように嵌入されている。６は滑石などからなる石筆で上記摺動子４の前方位置における上記両案内溝２、３内に挿入され、かつ上記摺動子４を後側端より前進移動させることにより上記ケース本体１の先端口７より適宜押し出されるように構成されている。８は上記ケース本体１の先端口７近傍に取り付けられた超硬合金製のケガキ針で、本実施例では銀ロウ付けで取り付けられている。９は上記ケース本体１の後端口を塞ぐように取り付けられたキャップ体であり上記摺動子の後側への移動の停止片となる。１０は上記キャップ体９の外端部に設けられた凹部に嵌合された石筆で、上記石筆６よりも肉厚で短小のものである。
【００１６】
図２は、同上実施例石筆ペンの主としてキャップ体部分を示す一部切欠側面図であり、図番は図１と同じ部材に同じ番号を付している。図２において、１１はキャップ体と一体的に形成されたクリップであり、衣服のポケットなどに収納するときに好都合である。
【００１７】
上記において、石筆６と石筆１０は一般的に同じ材料を使うが、その大きさが、一例として石筆６については、幅１０ｍｍ、長さ９５ｍｍ、厚さ１ｍｍであり、石筆１０については、幅９ｍｍ、長さ２５ｍｍ、厚さ５ｍｍである。線図の太さにより使い分けるが、違う材料を使ってもよい。更に、ケガキ針の材料も超硬合金製に限られず、ケース本体への取り付けも銀ロウ付けに限られない。
【図面の簡単な説明】
【００１８】
【図１】本考案の一実施例における石筆ペンの斜視図である。
【図２】同上実施例の一部切欠側面図である。
【符号の説明】
【００１９】
１      ケース本体
２      案内溝
３      案内溝
４      摺動子
６      石筆
７      先端口
８      ケガキ針
９      キャップ体
１０      石筆
１１      クリップ
【図１】
0003135227.tif 000003
【図２】
0003135227.tif 000004